【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
少なくとも１つの情報を伝送する装置（１７８）であって、前記装置（１７８）が、移動する担体（１１２）に結合されたバーコード（１１０）を取り込むための少なくとも１つのバーコードリーダ（１２４）を備え、前記バーコードリーダ（１２４）が、前記バーコード（１１０）の情報モジュール（１１６）の少なくとも一次元取り込みのための少なくとも１つの光学式バーコード検出器（１４０）を備え、前記バーコードリーダ（１２４）が、さらに前記バーコード（１１０）のクロックトラック（１２８）のクロックトラックモジュール（１３０）を取り込むための少なくとも１つの光学式クロックトラック検出器（１４２）および前記バーコード（１１０）から少なくとも１つの基準情報を取り込むための少なくとも１つの光学式基準検出器（１４４）を備え、前記バーコードリーダ（１２４）が、前記クロックトラック検出器（１４２）からの少なくとも１つの信号および前記基準検出器（１４４）からの少なくとも１つの信号から、前記担体（１１２）の移動方向（１２０）を割り出すように構成され、前記装置（１７８）が、さらに少なくとも１つのバーコード（１１０）を有する少なくとも１つの担体（１１２）を備え、前記バーコード（１１０）が、複数の情報モジュール（１１６）および少なくとも１つのクロックトラック（１２８）を備え、前記クロックトラック（１２８）が、複数の連続クロックトラックモジュール（１３０）を有し、前記複数の連続クロックトラックモジュール（１３０）が、前記バーコード（１１０）において直線のライン、または湾曲したラインに沿って連続的に配置され、前記バーコード（１１０）の情報モジュール（１１６）として同時に機能しないが、前記バーコード（１１０）が前記バーコードリーダ（１２４）に対して移動する時に、クロックとしてだけ機能し、前記バーコード（１１０）が、さらに少なくとも１つの基準トラック（１３２）を有し、前記基準トラック（１３２）が、第２のクロックトラック（１２８）として具現化され、前記基準トラック（１３２）が、前記クロックトラック（１２８）と同じ周期性を有し、前記クロックトラック（１２８）と比べて位相シフトを有している装置（１７８）。
【請求項２】
前記バーコードリーダ（１２４）が、前記クロックトラック検出器（１４２）からの前記信号における前記クロックトラック（１２８）に起因する少なくとも１つの信号変化を取り込むように構成される請求項１記載の装置（１７８）。
【請求項３】
前記バーコードリーダ（１２４）が、前記クロックトラック検出器（１４２）からの前記信号における前記クロックトラック（１２８）に起因するポジティブまたはネガティブエッジ（１５４、１５６）を取り込むように構成される請求項１記載の装置（１７８）。
【請求項４】
前記バーコードリーダ（１２４）が、前記クロックトラック検出器（１４２）により取り込まれる信号変化のサイン、および前記基準検出器（１４４）からの信号の絶対値から前記移動方向（１２０）を割り出すように構成される請求項１〜３のいずれか１項に記載の装置（１７８）。
【請求項５】
前記バーコードリーダ（１２４）が、前記クロックトラック検出器（１４２）により取り込まれる信号変化のサイン、および前記基準検出器（１４４）から同時に発生する信号の絶対値から前記移動方向（１２０）を割り出すように構成される請求項１〜３のいずれか１項に記載の装置（１７８）。
【請求項６】
前記バーコードリーダ（１２４）が、
前記クロックトラック検出器（１４２）からの前記信号においてネガティブエッジ（１５６）が識別され、前記基準検出器（１４４）からの前記信号において第１の信号レベルが識別される場合、または、前記クロックトラック検出器（１４２）からの前記信号においてポジティブエッジ（１５４）が識別され、前記基準検出器（１４４）からの前記信号において第２の信号レベルが識別される場合、第１の移動方向（１２０）を割り出すように構成され、および
前記クロックトラック検出器（１４２）からの前記信号においてポジティブエッジ（１５４）が識別され、前記基準検出器（１４４）からの前記信号において前記第１の信号レベルが識別される場合、または、前記クロックトラック検出器（１４２）からの前記信号においてネガティブエッジ（１５６）が識別され、前記基準検出器（１４４）からの前記信号において前記第２の信号レベルが識別される場合、前記第１の移動方向（１２０）とは反対の方向の第２の移動方向（１２０）を割り出すように構成される請求項４または５記載の装置（１７８）。
【請求項７】
さらにデータ記憶装置（１６０）を備え、前記バーコードリーダ（１２４）が、前記バーコード（１１０）の横列（１２６）に含まれる情報を読み出し、それぞれ、前記横列（１２６）に対応するアドレスカウンタ（１６２）とともに、前記データ記憶装置（１６０）に保存するように構成され、前記バーコードリーダ（１２４）が、識別された移動方向（１２０）に従って、前記アドレスカウンタ（１６２）をインクリメンタルに増加させまたは減少させるように構成される請求項１〜６のいずれか１項に記載の装置（１７８）。
【請求項８】
前記光学式クロックトラック検出器（１４２）が、前記バーコード検出器（１４０）の一部である請求項１〜７のいずれか１項に記載の装置（１７８）。
【請求項９】
前記基準検出器（１４４）が、前記移動方向（１２０）に対して垂直な方向において、前記クロックトラック検出器（１４２）の隣に配置され、および／または
前記基準検出器（１４４）が、前記移動方向（１２０）に対して平行な方向において、前記クロックトラック検出器（１４２）に対して、オフセット（１８０）だけオフセットして配置される方法で、
前記基準検出器（１４４）が、前記クロックトラック検出器（１４２）に対して配置される請求項１〜８のいずれか１項に記載の装置（１７８）。
【請求項１０】
前記オフセット（１８０）が、前記バーコード（１１０）のモジュール（１１４）のモジュール高さの等倍数からずれて配置される請求項９記載の装置（１７８）。
【請求項１１】
少なくとも１つの光学センサエレメント（１３８）を備え、前記クロックトラック検出器（１４２）および前記基準検出器（１４４）が、前記光学センサエレメント（１３８）を使用するように構成される請求項１〜１０のいずれか１項に記載の装置（１７８）。
【請求項１２】
前記少なくとも１つの光学センサエレメント（１３８）が、横一列のセンサ（１８６）である請求項１１記載の装置（１７８）。
【請求項１３】
光学的な前記基準情報が、
前記バーコード（１１０）の基準トラック（１３２）からの光学情報、および
前記クロックトラック検出器（１４２）により読み出される前記クロックトラック（１２８）からの現在の光学情報から所定のオフセット（１８０）の位置にある、前記バーコード（１１０）の前記クロックトラック（１２８）の光学情報
から選択される請求項１〜１２のいずれか１項に記載の装置（１７８）。
【請求項１４】
前記所定のオフセット（１８０）が、前記クロックトラック（１２８）のモジュール高さの等倍数からずれるオフセット（１８０）である請求項１３記載の装置（１７８）。
【請求項１５】
さらに前記担体（１１２）を受ける受容部（２２４）を備え、前記受容部（２２４）が、前記バーコードリーダ（１２４）に対して前記担体（１１２）が移動できるように構成され、前記バーコードリーダ（１２４）が、前記受容部（２２４）で前記担体（１１２）が移動する間、前記バーコードリーダ（１２４）によって前記バーコード（１１０）を読み出すことができるように構成される請求項１〜１４のいずれか１項に記載の装置（１７８）。
【請求項１６】
前記クロックトラック（１２８）が、複数の周期的に交替するクロックトラックモジュール（１３０）を有し、前記交替するクロックトラックモジュール（１３０）が、前記クロックトラック検出器（１４２）を通過する時に、前記クロックトラック検出器（１４２）において、少なくとも２つの異なる信号レベルを交互に生成するように構成される請求項１〜１５のいずれか１項に記載の装置（１７８）。
【請求項１７】
前記バーコード（１１０）が、二次元バーコード（１１０）である請求項１〜１６のいずれか１項に記載の装置（１７８）。
【請求項１８】
前記基準トラック（１３２）が、前記移動方向（１２０）に対して平行に配置されている請求項１〜１７のいずれか１項に記載の装置（１７８）。
【請求項１９】
前記基準トラック（１３２）が、複数の周期的に交替する基準トラックモジュール（１３４）を有し、前記交替する基準トラックモジュール（１３４）が、前記基準検出器（１４４）を通過する時、前記基準検出器（１４４）において少なくとも２つの異なる信号レベルを交互に生成するように構成され、前記基準トラック（１３２）の周期性が、前記クロックトラック（１２８）の周期性と比べて位相シフトしている請求項１〜１８のいずれか１項に記載の装置（１７８）。
【請求項２０】
前記基準トラック（１３２）が、前記クロックトラック（１２８）に対して平行に配列されている請求項１〜１９のいずれか１項に記載の装置（１７８）。
【請求項２１】
前記バーコード（１１０）のモジュール（１１４）が、前記移動方向（１２０）のモジュール高さ、および前記移動方向（１２０）に対して垂直のモジュール幅を有し、前記モジュール高さが、前記モジュール幅を超過する請求項１〜２０のいずれか１項に記載の装置（１７８）。
【請求項２２】
前記モジュール高さが、前記モジュール幅の少なくとも１．２倍を超過する請求項２１記載の装置（１７８）。
【請求項２３】
前記モジュール高さが、前記モジュール幅の少なくとも１．５倍を超過する請求項２１記載の装置（１７８）。
【請求項２４】
複数の情報モジュール（１１６）を備えたバーコード（１１０）であって、前記バーコード（１１０）がさらに、少なくとも１つのバーコードリーダ（１２４）により、前記情報モジュール（１１６）の読み出しを刻時するクロックトラック（１２８）を備え、移動方向（１２０）において、前記バーコード（１１０）と前記バーコードリーダ（１２４）の間に相対移動が存在し、前記バーコード（１１０）がさらに、前記クロックトラック（１２８）とは別に具現化される少なくとも１つの基準トラック（１３２）を備え、前記基準トラック（１３２）が、前記クロックトラック（１２８）と比べて位相オフセットを有し、前記クロックトラック（１２８）が、複数の連続クロックトラックモジュール（１３０）を有し、前記複数の連続クロックトラックモジュール（１３０）が、前記バーコード（１１０）において直線のライン、または湾曲したラインに沿って連続的に配置され、前記バーコード（１１０）の情報モジュール（１１６）として同時に機能しないが、前記バーコード（１１０）が前記バーコードリーダ（１２４）に対して移動する時に、クロックとしてだけ機能し、前記バーコード（１１０）が、さらに少なくとも１つの基準トラック（１３２）を有し、前記基準トラック（１３２）が、第２のクロックトラック（１２８）として具現化され、前記基準トラック（１３２）が、前記クロックトラック（１２８）と同じ周期性を有し、前記クロックトラック（１２８）と比べて位相シフトを有している、バーコード（１１０）。
【請求項２５】
少なくとも１つの消耗品特有の情報を伝送する方法であって、請求項１〜２３のいずれか１項に記載の装置（１７８）を用いて、少なくとも１つの医療消耗品（２１８）から、前記医療消耗品（２１８）と相互作用する医療機器へ前記消耗品特有の情報を伝送する工程を備える方法。
【請求項２６】
前記医療機器が、医療測定機器（２１６）および／または治療機器である請求項２５記載の方法。
【請求項２７】
移動する担体（１１２）に結合された光学式バーコード（１１０）を取り込む方法であって、前記バーコード（１１０）の情報モジュール（１１６）が、少なくとも一次元的に取り込まれ、少なくとも１つのクロックトラック検出器（１４２）が、前記バーコード（１１０）のクロックトラック（１２８）のクロックトラックモジュール（１３０）を取り込むために使用され、さらに、前記バーコード（１１０）からの少なくとも１つの基準情報が、少なくとも１つの基準検出器（１４４）によって取り込まれ、前記担体（１１２）の移動方向（１２０）が、前記クロックトラック検出器（１４２）からの少なくとも１つの信号および前記基準検出器（１４４）からの少なくとも１つの信号から割り出され、前記クロックトラック（１２８）が、複数の連続クロックトラックモジュール（１３０）を有し、前記複数の連続クロックトラックモジュール（１３０）が、前記バーコード（１１０）において直線のライン、または湾曲したラインに沿って連続的に配置され、前記バーコード（１１０）の情報モジュール（１１６）として同時に機能しないが、前記バーコード（１１０）が前記バーコードリーダ（１２４）に対して移動する時に、クロックとしてだけ機能し、前記バーコード（１１０）が、さらに少なくとも１つの基準トラック（１３２）を有し、前記基準トラック（１３２）が、第２のクロックトラック（１２８）として具現化され、前記基準トラック（１３２）が、前記クロックトラック（１２８）と同じ周期性を有し、前記クロックトラック（１２８）と比べて位相シフトを有している方法。